(57)【要約】【課題】植生調査対象地域を撮像した画像から植生調査対象地域の有害植生の繁殖状況を把握できるようにする。【解決手段】植生調査対象地域を撮影した植生調査対象地域画像中の識別対象植生画像からＲ成分画像、Ｇ成分画像、Ｂ成分画像を作成するＲＧＢ成分画像作成手段１７と、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出する特徴量抽出手段１９とを備えた。【選択図】図１
2008210165.tif 000002
【特許請求の範囲】
【請求項１】
有害植生を撮影した有害植生画像からＲ成分画像、Ｇ成分画像、Ｂ成分画像を作成し、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出するとともに、植生調査対象地域を撮影した植生調査対象地域画像中の識別対象植生画像からＲ成分画像、Ｇ成分画像、Ｂ成分画像を作成し、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出し、有害植生画像の特徴量と識別対象植生画像の特徴量とを比較することによって、識別対象植生画像の植生が有害植生画像の有害植生であるか否かを判定することを特徴とする植生判定方法。
【請求項２】
植生調査対象地域を撮影した植生調査対象地域画像中の識別対象植生画像からＲ成分画像、Ｇ成分画像、Ｂ成分画像を作成するＲＧＢ成分画像作成手段と、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出する特徴量抽出手段とを備えたことを特徴とする画像処理装置。
【請求項３】
有害植生を撮影した有害植生画像及び植生調査対象地域の植生を撮影した識別対象植生画像からこれら画像のＲ成分画像、Ｇ成分画像、Ｂ成分画像を作成するＲＧＢ成分画像作成手段と、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出する特徴量抽出手段と、有害植生画像の特徴量及び植生識別対象画像の特徴量を出力する出力手段とを備えたことを特徴とする画像処理装置。
【請求項４】
有害植生画像や識別対象植生画像の画像分解能を調整するための画像分解能調整手段を備えたことを特徴とする請求項２又は請求項３に記載の画像処理装置。
【請求項５】
同一種類の有害植生を異なる時刻に撮影した複数の有害植生画像の特徴量を記憶する記憶手段を備えたことを特徴とする請求項２乃至請求項４のいずれかに記載の画像処理装置。
【請求項６】
同一種類の有害植生を異なる季節毎に撮影した複数の有害植生画像の特徴量を記憶する記憶手段を備えたことを特徴とする請求項２乃至請求項５のいずれかに記載の画像処理装置。
【請求項７】
同一種類の有害植生を異なる天候時毎に撮影した複数の有害植生画像の特徴量を記憶する記憶手段を備えたことを特徴とする請求項２乃至請求項６のいずれかに記載の画像処理装置。
【請求項８】
同一の植生調査対象地域を異なる季節毎に撮影して得られた複数の識別対象植生画像の特徴量の変化と、異なる季節毎に撮影された有害植生画像の特徴量の変化とを比較する特徴量変化比較手段を備えたことを特徴とする請求項２乃至請求項７のいずれかに記載の画像処理装置。
【請求項９】
特徴量を抽出する前に有害植生画像や植生識別対象画像のＲ成分画像、Ｇ成分画像、Ｂ成分画像のノイズを除去するノイズ除去手段、特徴量を抽出する前に有害植生画像や植生識別対象画像のＲ成分画像、Ｇ成分画像、Ｂ成分画像のコントラストのばらつきを抑えるコントラスト正規化手段、特徴量を抽出する前に有害植生画像や植生識別対象画像のＲ成分画像、Ｇ成分画像、Ｂ成分画像のコントラストや明るさのばらつきを抑えるコントラスト及び明るさ調整手段のうちの１つ以上を備えたことを特徴とする請求項２乃至請求項８のいずれかに記載の画像処理装置。
【請求項１０】
特徴量算出手段で算出された特徴量に基づいてヒストグラムを作成する特徴量ヒストグラム作成手段を備えたことを特徴とする請求項２乃至請求項９のいずれかに記載の画像処理装置。
【請求項１１】
２つ以上の異種類の有害植生画像から抽出された同一種類の特徴量のヒストグラムの交点が示す特徴量の値をしきい値として設定するしきい値設定手段と、識別対象植生画像の特徴量の値と上記しきい値とを比較して、識別対象植生画像の植生が上記２つ以上の異種類の有害植生であるか否かを判定する判定手段とを備えたことを特徴とする請求項２乃至請求項１０のいずれかに記載の画像処理装置。
【請求項１２】
特徴量抽出手段が、近傍画像推定法によって特徴量を抽出したことを特徴とする請求項２乃至請求項１１のいずれかに記載の画像処理装置。
【発明の詳細な説明】
【技術分野】
【０００１】
本発明は、植生調査対象地域を撮像した画像から植生調査対象地域の有害植生の繁殖状況を把握可能とした植生判定方法、及び、この方法に使用する画像処理装置に関する。
【背景技術】
【０００２】
人工衛星あるいは航空機を用いて上空から撮影したカラー画像を白黒画像に変換して樹木の樹冠形状を求めるとともに、前記カラー画像のスペクトル分析を行うことで樹木の分布を評価する方法が知られている（特許文献１等参照）。
【特許文献１】特開２００１−３５７３８０号公報
【発明の開示】
【発明が解決しようとする課題】
【０００３】
河川防災において重要な堤防周辺の植生において、イタドリ、カラムシなどのように、葉が大きく、しかも背丈が２ｍ程度にも達する有害な植物（以下、有害植生という）が、背丈の小さい在来種や堤防の機能を維持するために植えられた芝のような有害でない植物の生育を妨げ、これら植物を生えなくさせるといった害を及ぼす例がある。有害植生の繁殖した堤防では、法面表面に日が当たらないことによって、堤防法面の裸地化が進行し、堤防法面は、雨水流下等の際に、徐々に浸食を受ける。法面の浸食が進んだ堤防においては、河川増水時に更なる浸食を受けやすく、堤防崩壊を招く危険性が高まる。さらに、このような害をもたらす有害植生は、根の発達が非常に著しく、堤防内に大きな穴を作るほか、堤防を守る目的で設けられている護岸のわずかな隙間からでも根を伸ばし、徐々に堤防の機能を低下させていると言われている。このような理由により、河川周辺の植生状況、特に有害植生の繁殖状況を把握しておくことは、生態系の維持、環境保全と言った観点のみならず、自然災害に対する環境整備・防災対策という観点から、堤防の健全度を知る上で、年々重要な課題となってきている。
しかしながら、上述した従来技術のスペクトル分析では、植生調査対象地域に異なる種類の植生が混在している場合、植生の種類を区別できない。特に上述したような堤防法面に生える植生群は複雑なパターンであるので、色や形状だけで特徴を把握しづらいからである。つまり、従来技術では、植生調査対象地域の有害植生の繁殖状況を把握できないという課題があった。
本発明は、上記従来の問題点に鑑みてなされたもので、植生調査対象地域を撮像した画像から植生調査対象地域の有害植生の繁殖状況を把握できるようにすることを目的とする。
【課題を解決するための手段】
【０００４】
本発明の植生判定方法は、有害植生を撮影した有害植生画像からＲ成分画像、Ｇ成分画像、Ｂ成分画像を作成し、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出するとともに、植生調査対象地域を撮影した植生調査対象地域画像中の識別対象植生画像からＲ成分画像、Ｇ成分画像、Ｂ成分画像を作成し、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出し、有害植生画像の特徴量と識別対象植生画像の特徴量とを比較することによって、識別対象植生画像の植生が有害植生画像の有害植生であるか否かを判定することを特徴とする。
本発明の画像処理装置は、植生調査対象地域を撮影した植生調査対象地域画像中の識別対象植生画像からＲ成分画像、Ｇ成分画像、Ｂ成分画像を作成するＲＧＢ成分画像作成手段と、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出する特徴量抽出手段とを備えたことを特徴とする。
本発明の画像処理装置は、有害植生を撮影した有害植生画像及び植生調査対象地域の植生を撮影した識別対象植生画像からこれら画像のＲ成分画像、Ｇ成分画像、Ｂ成分画像を作成するＲＧＢ成分画像作成手段と、テクスチャ解析によって、これらＲ成分画像、Ｇ成分画像、Ｂ成分画像から各々の画像の特徴量としての、輝度値の平均値、コントラストの平均値、滑らかさ、一様性、エントロピーのうちの１つ以上を抽出する特徴量抽出手段と、有害植生画像の特徴量及び植生識別対象画像の特徴量を出力する出力手段とを備えたことを特徴とする。
画像処理装置が、有害植生画像や識別対象植生画像の画像分解能を調整するための画像分解能調整手段を備えたことも特徴とする。
画像処理装置が、同一種類の有害植生を異なる時刻に撮影した複数の有害植生画像の特徴量を記憶する記憶手段を備えたことも特徴とする。
画像処理装置が、同一種類の有害植生を異なる季節毎に撮影した複数の有害植生画像の特徴量を記憶する記憶手段を備えたことも特徴とする。
画像処理装置が、同一種類の有害植生を異なる天候時毎に撮影した複数の有害植生画像の特徴量を記憶する記憶手段を備えたことも特徴とする。
画像処理装置が、同一の植生調査対象地域を異なる季節毎に撮影して得られた複数の識別対象植生画像の特徴量の変化と、異なる季節毎に撮影された有害植生画像の特徴量の変化とを比較する特徴量変化比較手段を備えたことも特徴とする。
画像処理装置が、特徴量を抽出する前に有害植生画像や植生識別対象画像のＲ成分画像、Ｇ成分画像、Ｂ成分画像のノイズを除去するノイズ除去手段、特徴量を抽出する前に有害植生画像や植生識別対象画像のＲ成分画像、Ｇ成分画像、Ｂ成分画像のコントラストのばらつきを抑えるコントラスト正規化手段、特徴量を抽出する前に有害植生画像や植生識別対象画像のＲ成分画像、Ｇ成分画像、Ｂ成分画像のコントラストや明るさのばらつきを抑えるコントラスト及び明るさ調整手段のうちの１つ以上を備えたことも特徴とする。
画像処理装置が、特徴量算出手段で算出された特徴量に基づいてヒストグラムを作成する特徴量ヒストグラム作成手段を備えたことも特徴とする。
画像処理装置が、２つ以上の異種類の有害植生画像から抽出された同一種類の特徴量のヒストグラムの交点が示す特徴量の値をしきい値として設定するしきい値設定手段と、識別対象植生画像の特徴量の値と上記しきい値とを比較して、識別対象植生画像の植生が上記２つ以上の異種類の有害植生であるか否かを判定する判定手段とを備えたことも特徴とする。
特徴量抽出手段が、近傍画像推定法によって特徴量を抽出したことも特徴とする。
【発明の効果】
【０００５】
本発明の植生判定方法によれば、有害植生画像の特徴量と識別対象植生画像の特徴量とを比較することによって、植生調査対象地域にどのような種類の有害植生が繁殖しているかを正確に把握できるようになる。
本発明の画像処理装置によれば、識別対象植生画像から特徴量を抽出する特徴量抽出手段を備えたので、植生調査対象地域にどのような種類の有害植生が繁殖しているかを判定できる。
本発明の画像処理装置によれば、有害植生画像及び識別対象植生画像から特徴量を抽出する特徴量抽出手段と、有害植生画像の特徴量及び植生識別対象画像の特徴量を出力する出力手段とを備えたので、植生調査対象地域にどのような種類の有害植生が繁殖しているかをより正確に判定できる。
画像処理装置が画像分解能調整手段を備えたので、有害植生画像や識別対象植生画像の画像分解能を所望の値に設定でき、また、識別対象植生画像の画像分解能を有害植生画像の画像分解能と一致させることができるので、特徴量の精度を向上でき、正確な植生判定を行える。
画像処理装置が、同一種類の有害植生を異なる時刻に撮影した複数の有害植生画像の特徴量を記憶する記憶手段を備えたことにより、識別対象植生画像を撮影した時刻の影響を受けることなく、正確な植生判定を行える。
画像処理装置が、同一種類の有害植生を異なる季節毎に撮影した複数の有害植生画像の特徴量を記憶する記憶手段を備えたことにより、識別対象植生画像を撮影した季節の影響を受けることなく、正確な植生判定を行える。
画像処理装置が、同一種類の有害植生を異なる天候時毎に撮影した複数の有害植生画像の特徴量を記憶する記憶手段を備えたことにより、識別対象植生画像を撮影した天候時の影響を受けることなく、正確な植生判定を行える。
画像処理装置が、特徴量変化比較手段を備えたことにより、同一の植生調査対象地域を異なる季節毎に撮影して得られた複数の識別対象植生画像の特徴量の変化と、異なる季節毎に撮影された有害植生画像の特徴量の変化とから、より正確な植生判定を行える。
画像処理装置が、ノイズ除去手段、コントラスト正規化手段、コントラスト及び明るさ調整手段のうちの１つ以上を備えたので、識別対象植生画像や有害植生画像から正確な特徴量を抽出することが可能となり、植生判定を行える。
画像処理装置が、特徴量ヒストグラム作成手段を備えたので、識別対象植生画像や有害植生画像の特徴量を視覚的に表示させることができ、植生判定を容易とできる。
画像処理装置が、しきい値設定手段と判定手段とを備えたので、識別対象植生画像内に複数の有害植生が混在している場合であってもその複数の有害植生を正確に判定できるようになる。
特徴量抽出手段が、近傍画像推定法によって特徴量を抽出したので、近傍画像の影響によって、連続的かつ安定な特徴量を得ることができるので、有害植生の特徴を的確に得ることができ、正確な植生判定を行える。
【発明を実施するための最良の形態】
【０００６】
最良の形態１
図１は植生識別システムの構成を示し、図２は近傍画像推定法の概念を示し、図３及び図４は近傍画像推定法の説明図、図５乃至図９は有害植生画像から抽出した各特徴量のヒストグラムを示す。
【０００７】
最良の形態１による植生判定方法は、まず、上空から有害植生を撮影し、この有害植生画像の特徴量をテクスチャ解析により抽出して記憶する。そして、上空から植生調査対象地域としての堤防法面を撮影し、この堤防法面を撮影した画像中の識別対象植生画像の特徴量をテクスチャ解析により抽出し、この識別対象植生画像の特徴量と有害植生画像の特徴量とを比較することによって、堤防法面に有害植生が存在するか否かを識別し、堤防法面における有害植生の繁殖状況を把握する。
【０００８】
図１に示すように、上記植生判定方法を実現するための植生識別システムは、画像取得手段１、画像処理装置２を備える。
【０００９】
画像取得手段１は、リモートコントローラ３と、リモートコントローラ３により操縦される飛行体４と、飛行体４に搭載された撮像手段５、画像記憶手段６、位置情報取得手段７とを備える。飛行体４は例えば模型飛行機や模型ヘリコプタのような模型飛行体である。撮像手段５は例えばＣＣＤカメラやデジタルカメラ等のカメラである。位置情報取得手段７は撮影位置を取得するための例えばＧＰＳである。
【００１０】
画像処理装置２は、入力部８、出力部９、画像処理部１０、有害植生画像特徴量記憶手段１１、識別対象植生画像特徴量記憶手段１２、地理情報記憶手段１３を備える。画像処理部１０は、処理プログラムと処理プログラムの命令を実行するＣＰＵのような処理装置とを備えたコンピュータにより実現される。
【００１１】
図１を参照し、画像処理部１０の詳細を説明する。画像処理部１０は、画像分解能調整手段１４、有害植生画像作成手段１５、識別対象植生画像作成手段１６、ＲＧＢ成分画像作成手段１７、前処理手段１８、特徴量算出手段１９、特徴量ヒストグラム作成手段２０、比較判定手段２１を備える。
【００１２】
画像分解能調整手段１４は、撮影された画像の画像分解能を調整して、撮影高度に対する画像解析度のばらつきをなくす手段である。この画像分解能調整手段１４が、堤防法面を撮影した画像の画像分解能を、有害植生を含む領域を撮影した画像の画像分解能と一致させることによって、飛行体４で空中撮影を行う際の飛行体４の操縦熟練度に対する要求条件、および撮影環境に対する要求条件を小さくできる。
【００１３】
撮影高度や撮影に使用する撮像手段５の解像度によって、画像の分解能が異なる場合がある。この画像分解能は次式により求められる。
画像分解能＝地上での撮影領域の縦幅又横幅（ｃｍ）／デジタル画像の縦又は横方向の画素数（画素）
よって、画像分解能を知るためには地上での撮影領域の縦幅又は横幅を知る必要があるので、例えば、有害植生を含む領域や植生調査対象地域としての堤防法面を撮影する際に、堤防法面の上部と下部とに目印を一定間隔（例えば１０ｍ間隔）で設置し、これら目印を基準にして撮影を行う。即ち、操縦者が撮像手段５から送られてきて図外のモニター画面に映し出される撮影領域の縦幅又は横幅を目印によって確認して撮影を行う。従って、撮影の際に撮影領域の縦幅又は横幅を確認することで、撮影画像の画像分解能を所望の画像分解能に近づけることが可能である。最良の形態１では、撮像手段５として、１０００万画素のカメラを用い、高度センサ付きの模型飛行体４をリモートコントローラ３で操作し、目印を確認しながら堤防法面の下端から垂直方向上方に１０ｍの位置から堤防法面を撮影した。
【００１４】
有害植生画像作成手段１５は、上空より有害植生を含む領域を撮影した有害植生含有画像から有害植生画像を作成する手段である。有害植生画像作成手段１５は、例えば、有害植生含有画像から有害植生画像部分を切り取って、パッチワークのように、ｎ×ｎマトリックス画素（例えば５１２×５１２画素）からなる空画像に貼り付けることによって、有害植生画像を作成する。空画像は、例えば、Ａｄｏｂｅ社のＰｈｏｔｏｓｈｏｐの新規作成機能で作成できる。有害植生画像としては、例えば、イタドリ、カラムシ、オオイタドリ、クズ、アレチウリ、ヒメカシヨモギ、アメリカセンダングサ、セイタカアワダチソウなどの有害植生画像を作成する。
【００１５】
識別対象植生画像作成手段１６は、上空より植生調査対象地域である堤防法面を撮影した堤防法面画像から識別対象植生画像を作成する手段である。識別対象植生画像作成手段１６は、例えば、堤防法面画像から植生画像部分を切り取って、識別対象植生画像を作成する。
【００１６】
ＲＧＢ成分画像生成手段１７は、有害植生画像や識別対象植生画像から、Ｒ成分のみを抽出したＲ成分画像、Ｇ成分のみを抽出したＧ成分画像、Ｂ成分のみを抽出したＢ成分画像を生成する。
【００１７】
前処理手段１８は、ノイズ除去手段、コントラスト正規化手段、コントラスト調整手段、明るさ調整手段を備える。
ノイズ除去手段は、Ｒ成分画像、Ｇ成分画像、Ｂ成分画像中の各画素の各々の輝度値を、輝度値を求めたいある画素とその周囲にあるｎ×ｎマトリックス画素の輝度値の平均値で置き換えることにより、Ｒ成分画像、Ｇ成分画像、Ｂ成分画像中のノイズを除去する移動平均フィルタ、あるいは、Ｒ成分画像、Ｇ成分画像、Ｂ成分画像中の各画素の各々の輝度値を、輝度値を求めたいある画素とその周囲にあるｎ×ｎマトリックス画素の輝度値の中央値で置き換えることにより、Ｒ成分画像、Ｇ成分画像、Ｂ成分画像中のノイズを除去する中央値フィルタを備える。
コントラスト正規化手段は、Ｒ成分画像、Ｇ成分画像、Ｂ成分画像中の各画素の輝度値を０−２５５階調に正規化して、画像のコントラストのばらつきを抑える。
コントラスト調整手段は、Ｒ成分画像、Ｇ成分画像、Ｂ成分画像中の各画素の輝度値分布を０−２５５階調に変換して、画像のコントラストのばらつきを抑える。
明るさ調整手段は、Ｒ成分画像、Ｇ成分画像、Ｂ成分画像中の各画素の輝度値分布を０−２５５階調に変換して、画像の明るさのばらつきを抑える。
このような前処理手段１８を備えることで、識別対象植生画像や有害植生画像から正確な特徴量を抽出することが可能となり、植生判定を行えるようになる。
尚、前処理手段１８は、これらノイズ除去手段、コントラスト正規化手段、コントラスト及び明るさ調整手段のうちの１つ以上を備えればよい。
【００１８】
特徴量抽出手段１９は、テクスチャ解析によって、Ｒ成分画像、Ｇ成分画像、Ｂ成分画像のそれぞれの特徴量を抽出する。特徴量は、輝度値の平均値、コントラストの平均値、滑らかさ、一様性、エントロピーである。即ち、特徴量抽出手段１９は、輝度値の平均値抽出手段、コントラストの平均値抽出手段、滑らかさ抽出手段、一様性抽出手段、エントロピー抽出手段を備える。
【００１９】
特徴量ヒストグラム作成手段２０は、特徴量算出手段１９で算出された特徴量に基づいてヒストグラムを作成する。即ち、特徴量ヒストグラム作成手段２０は、輝度値の平均値ヒストグラム作成手段、コントラストの平均値ヒストグラム作成手段、滑らかさヒストグラム作成手段、一様性ヒストグラム作成手段、エントロピーヒストグラム作成手段を備える。
【００２０】
比較判定手段２１は、識別対象植生画像の特徴量と有害植生画像の特徴量とを比較し、識別対象植生画像の植生が、比較した有害植生画像の有害植生であるか否かを判定する。
【００２１】
次に実施の形態１による植生判定方法を説明する。
まず、有害植生画像作成手段１５が上述したように有害植生画像を作成する。尚、画像分解能調整手段１４によって指定された画像分解能（例えば、０．８０〜１．３０程度）に変換された画像から有害植生画像を作成すれば、識別対象植生画像の画像分解能と有害植生画像の画像分解能とを完全に一致させることができるので、識別対象植生画像の特徴量と有害植生画像の特徴量の精度を同じにでき、正確な植生判定を行える。
次に、ＲＧＢ成分画像作成手段１７が、有害植生画像から、画像を構成する各画素（ピクセル）の輝度値情報及び色情報を取得して、Ｒ成分画像、Ｇ成分画像、Ｂ成分画像を作成する。すなわち、カラー画像が、レンズを通して、それぞれ赤色、緑色、青色に反応するセンサで検出されて、光のエネルギーに比例する輝度値画像に変換され、画像を構成する各画素の輝度値情報及び色情報がＲＧＢ成分に分散されることによって、Ｒ成分画像、Ｇ成分画像、Ｂ成分画像が作成される。
そして、画像前処理手段１８が、Ｒ成分画像、Ｇ成分画像、Ｂ成分画像に上述した前処理を実行する。
次に、特徴量算出手段１９が、前処理後のＲ成分画像、Ｇ成分画像、Ｂ成分画像毎の特徴量を抽出する。
以下、特徴量算出手段１９による特徴量算出方法を説明する。
【００２２】
Ｍ×Ｎマトリックス画素からなるフルカラー画像の場合、通常、画素の輝度値が２４ビットで記録されている。つまり、Ｒ成分画像、Ｇ成分画像、Ｂ成分画像の輝度値は、それぞれ８ビットの２５６階調の整数値０，１，２，３，４・・・２５５で表示される。ここで、ある画素の輝度値をｉとすると、この画素の輝度値は０，１，２，３，４・・・２５５のいずれかである。この場合、式（１）のように、ある与えられた画像領域内に存在する輝度値ｘｉを持つ画素の数（即ち、画像の輝度値のヒストグラム値）ｈ（ｘｉ）をある与えられた画像内に存在する全画素数ｎで割ると、画像の輝度値の正規化ヒストグラム値ｐ（ｘｉ）を求めることができる。
2008210165.tif 000003
ただし、
ｐ（ｘｉ）：画像の輝度値の正規化ヒストグラム値
ｈ（ｘｉ）：画像の輝度値のヒストグラム値
ｉ：輝度値の番号（０，１，２，３，４・・・・・・２５５）
ｘｉ：輝度値ｘがｉ番目の値と一致した時の輝度値の値
ｎ：画像の総画素数
【００２３】
輝度値の平均値算出手段は、式（２）に基づいて、Ｒ成分画像、Ｇ成分画像、Ｂ成分画像毎に、特徴量としての輝度値の平均値を算出する。
2008210165.tif 000004
ただし、
Ｗ：近傍画像領域
ｍ（ｕ，ｖ，Ｗ）：近傍画像領域内における横方向ｕ番目、縦方向ｖ番目の注目画素を基準とした近傍画像中の各画素の輝度値の平均値
ｘｉ：輝度値ｘがｉ番目の値と一致した時の輝度値の値
ｐ（ｘｉ）：画像の輝度値の正規化ヒストグラム値
Ｌ：輝度値の階調数（２５６階調）
【００２４】
エントロピー算出手段は、式（３）に基づいて、Ｒ成分画像、Ｇ成分画像、Ｂ成分画像のそれぞれの特徴量としてのエントロピーを算出する。
2008210165.tif 000005
ただし、
Ｗ：近傍画像領域
Ｅ（ｕ，ｖ，Ｗ）：近傍画像領域内における横方向ｕ番目、縦方向ｖ番目の注目画素のエントロピー
ｘｉ：輝度値ｘがｉ番目の値と一致した時の輝度値の値
ｐ（ｘｉ）：画像の輝度値の正規化ヒストグラム値
Ｌ：輝度値の階調数（２５６階調）
【００２５】
コントラストの平均値算出手段は、式（４）に基づいて、Ｒ成分画像、Ｇ成分画像、Ｂ成分画像毎に、テクスチャ特徴量としてのコントラストの平均値を算出する。
2008210165.tif 000006
ただし、
Ｗ：近傍画像領域
ρ（ｕ，ｖ，Ｗ）：近傍画像領域内における横方向ｕ番目、縦方向ｖ番目の注目画素を基準とした近傍画像中の各画素のコントラストの平均値
ｍ（ｕ，ｖ，Ｗ）：近傍画像領域内における横方向ｕ番目、縦方向ｖ番目の注目画素を基準とした近傍画像中の各画素の輝度値の平均値
ｘｉ：輝度値ｘがｉ番目の値と一致した時の輝度値の値
ｐ（ｘｉ）：画像の輝度値の正規化ヒストグラム値
Ｌ：輝度値の階調数（２５６階調）
【００２６】
滑らかさ算出手段は、式（５）に基づいて、Ｒ成分画像、Ｇ成分画像、Ｂ成分画像のそれぞれの特徴量としての滑らかさを算出する。
2008210165.tif 000007
ただし、
Ｗ：近傍画像領域
Ｒ（ｕ，ｖ，Ｗ）：近傍画像領域内における横方向ｕ番目、縦方向ｖ番目の注目画素の滑らかさ
ρ（ｕ，ｖ，Ｗ）：近傍画像領域内における横方向ｕ番目、縦方向ｖ番目の注目画素を基準とした近傍画像中の各画素のコントラストの平均値
【００２７】
一様性算出手段は、式（６）に基づいて、Ｒ成分画像、Ｇ成分画像、Ｂ成分画像のそれぞれの特徴量としての一様性を算出する。
2008210165.tif 000008
ただし、
Ｗ：近傍画像領域
Ｕ（ｕ，ｖ，Ｗ）：近傍画像領域内における横方向ｕ番目、縦方向ｖ番目の注目画素の一様性
ｘｉ：輝度値ｘがｉ番目の値と一致した時の輝度値の値
ｐ（ｘｉ）：画像の輝度値の正規化ヒストグラム値
Ｌ：輝度値の階調数（２５６階調）
【００２８】
特徴量の一つである輝度値の平均値を例にして、画像の輝度値空間からテクスチャ解析法の特徴量空間へ変換するプロセスを説明する。
輝度値の平均値は、例えば近傍画像推定法と呼ばれる方法で計算する。この近傍画像推定法の概念は図２に示す。近傍画像推定法に基づいて計算する場合の計算式を、式（７）に示す。近傍画像領域のサイズを３×３行列とする。
2008210165.tif 000009
ただし、
ｕ：画像の横方向の画素の番号（左から右に向かって番号が増加する）０，１，２，・・・・Ｎ−１、ｕ＜０又はｕ＞Ｎ−１の場合はその輝度値を０とする。
ｖ：画像の縦方向の画素の番号（上から下に向かって番号が増加する）０，１，２，・・・・Ｍ−１、ｖ＜０又はｖ＞Ｍ−１の場合はその輝度値を０とする。
Ｎ：画像の横幅
Ｍ：画像の縦幅
Ｗ：近傍画像のサイズ
ｉ：近傍画像の横方向のインデックス（図２参照）
ｊ：近傍画像の縦方向のインデックス（図２参照）
ｍ（ｕ，ｖ）：近傍画像領域内における横方向ｕ番目、縦方向ｖ番目の注目画素を基準とした近傍画像中の各画素の輝度値の平均値
ｘ（ｕ，ｖ）：近傍画像領域内における横方向ｕ番目、縦方向ｖ番目の画素の輝度値
【００２９】
例えば、図３（ａ）に示す５×５行列の画素３１（矩形で示す）からなる画像を処理する場合、この画像の各画素３１が図３（ａ）に示す輝度値（矩形内の数字）を持っていて、近傍画像のサイズＷを３×３行列の画素数＝９とした場合において、近傍画像推定法による計算方法を説明する。
図４（ａ）に示すように、ｍ（０，０）の位置の画素３１を注目画素３１ａとした場合の当該注目画素３１ａを基準とした近傍画像中の各画素３１の輝度値の平均値は、ｍ（０，０）＝（０＋０＋０＋０＋０＋１＋０＋５＋６）／９＝１．３３となる。
同様に、図４（ｂ）に示すように、ｍ（０，１）の位置の画素３１を注目画素３１ａとした場合の当該注目画素３１ａを基準とした近傍画像中の各画素３１の輝度値の平均値は、ｍ（０，１）＝（０＋０＋１＋０＋５＋６＋０＋１０＋１１）／９＝３．６７となる。
同様に、図４（ｃ）に示すように、ｍ（５，５）の位置の画素３１を注目画素３１ａとした場合の当該注目画素３１ａを基準とした近傍画像中の各画素３１の輝度値の平均値は、ｍ（５，５）＝（１８＋１９＋０＋２３＋２４＋０＋０＋０＋０）／９＝９．３３となる。
以上のように、５×５行列画素の１つ１つの画素３１を注目画素３１ａとした場合の当該注目画素３１ａを基準とした近傍画像中の各画素３１の輝度値の平均値を求める。
図３（ａ）に示す５×５行列画素の１つ１つの画素３１を注目画素３１ａとした場合の当該注目画素３１ａを基準とした近傍画像中の各画素３１の輝度値を上述した近傍画像推定法で計算した結果を図３（ｂ）に示す。
【００３０】
最良の形態１では、有害植生画像のサイズを５１２×５１２行列画素としたので、輝度値の平均値の行列も５１２×５１２の行列となる。近傍画像推定法による近傍画像のサイズＷは、画像の大きさに応じて、例えば、１６×１６行列画素、３２×３２行列画素、６４×６４行列画素のいずれかを採用すればよい。最良の形態１では、近傍画像推定法による近傍画像のサイズＷを、６４×６４行列画素として計算した。
このように求めた輝度値の平均値が、有害植生画像特徴量記憶手段１１に記憶され、この輝度値の平均値に基づいて、輝度値の平均値ヒストグラム作成手段が、輝度値の平均値のヒストグラムを作成する。
【００３１】
カラムシの有害植生画像から抽出した輝度値の平均値のヒストグラム、及び、イタドリの有害植生画像から抽出した輝度値の平均値のヒストグラムを、図５に示す。
【００３２】
エントロピー算出手段、滑らかさ算出手段、コントラストの平均値算出手段、一様性算出手段は、画像の輝度値の正規化ヒストグラム値ｐ（ｘｉ）や輝度値の平均値の算出式（２）を用いた式（３）〜式（６）に基づいて各特徴量を求める。このように求められた特徴量が有害植生画像特徴量記憶手段１１に記憶され、これら特徴量に基づいて、コントラストの平均値ヒストグラム作成手段、滑らかさヒストグラム作成手段、一様性ヒストグラム作成手段、エントロピーヒストグラム作成手段が、各特徴量に関するヒストグラムを作成する。
【００３３】
カラムシの有害植生画像から抽出したエントロピーのヒストグラム、及び、イタドリの有害植生画像から抽出したエントロピーのヒストグラムを、図６に示す。
カラムシの有害植生画像から抽出した滑らかさのヒストグラム、及び、イタドリの有害植生画像から抽出した滑らかさのヒストグラムを、図７に示す。
カラムシの有害植生画像から抽出したコントラストの平均のヒストグラム、及び、イタドリの有害植生画像から抽出したコントラストの平均のヒストグラムを、図８に示す。
カラムシの有害植生画像から抽出した一様性のヒストグラム、及び、イタドリの有害植生画像から抽出した一様性のヒストグラムを、図９に示す。
尚、図５乃至図９において、横軸は正規化した特徴量、縦軸は特徴量の頻度、ＲはＲ成分画像から抽出した特徴量のヒストグラム、ＧはＧ成分画像から抽出した特徴量のヒストグラム、ＢはＢ成分画像から抽出した特徴量のヒストグラムを示す。輝度値の平均値、コントラストの平均値、一様性の特徴量の最小値は「０」、最大値は「１」、エントロピーの特徴量の最小値は「０」、最大値は「１０」である。滑らかさの特徴量の最小値は「０」、最大値は「１．０ｅ−６」である。
【００３４】
そして、堤防法面を撮影した堤防法面画像を画像処理装置２に入力すると、画像分解能調整手段１４が堤防法面画像の画像分解能を指定された有害植生画像の画像分解能（例えば、０．８０〜１．３０程度）と同じ画像分解能に変換し、識別対象植生画像作成手段１６が画像分解能の変換された堤防法面画像から識別対象植生画像を作成する。画像分解能調整手段１４が、識別対象植生画像の画像分解能と有害植生画像の画像分解能とを完全に一致させるので、識別対象植生画像の特徴量と有害植生画像の特徴量の精度を同じにでき、正確な植生判定を行える。
ＲＧＢ成分画像作成手段１７が、識別対象植生画像のＲ成分画像、Ｇ成分画像、Ｂ成分画像を作成し、前処理手段１８が、Ｒ成分画像、Ｇ成分画像、Ｂ成分画像に対して上述した前処理を実行し、特徴量抽出手段１９が、上述と同様にしてＲ成分画像、Ｇ成分画像、Ｂ成分画像毎の各特徴量を抽出し、特徴量ヒストグラム作成手段が各特徴量のヒストグラムを作成する。
【００３５】
そして、比較判定手段２１が、識別対象植生画像の特徴量と有害植生画像の特徴量とを比較することによって、識別対象植生画像の植生がカラムシやイタドリのような有害植生であるか否かを判定して、判定結果を出力する。
この場合、識別対象植生画像から抽出した輝度値の平均値と有害植生画像から抽出した輝度値の平均値との比較、識別対象植生画像から抽出したコントラストの平均値と有害植生画像から抽出したコントラストの平均値との比較、識別対象植生画像から抽出した滑らかさと有害植生画像から抽出した滑らかさとの比較、識別対象植生画像から抽出した一様性と有害植生画像から抽出した一様性との比較、識別対象植生画像から抽出したエントロピーと有害植生画像から抽出したエントロピーとの比較、のすべてを行えば、より正確な植生判定を行える。ただし、少なくとも１種類の特徴量を比較することによって植生判定を行ってもよい。例えば、輝度値の平均値は植生の特徴が出やすいので、輝度値の平均値同士の比較だけで植生判定を行ってもよい。
【００３６】
最良の形態１によれば、堤防法面にどのような種類の有害植生が繁殖しているかを正確に把握でき、堤防法面の裸地化を判別できるようになる。
最良の形態１によれば、特徴量ヒストグラム作成手段２０を備えたので、識別対象植生画像や有害植生画像の特徴量を視覚的に表示させることができ、植生判定を容易とできる。
最良の形態１によれば、特徴量抽出手段１９が、近傍画像推定法によって上述した種々の特徴量を抽出したので、近傍画像の影響によって連続的かつ安定な特徴量を得ることができ、有害植生の特徴を的確に得ることができるので、正確な植生判定を行える。
【００３７】
最良の形態２
画像処理装置２が、２つ以上の異種類の有害植生画像から抽出された同一種類の特徴量のヒストグラムの交点が示す特徴量の値をしきい値として設定するしきい値設定手段と、識別対象植生画像の特徴量の値と上記しきい値とを比較して、識別対象植生画像の植生が上記２つ以上の異種類の有害植生であるか否かを判定する判定手段とを備えた構成とすれば、識別対象植生画像における複数種の有害植生を識別できる。
例えば、しきい値設定手段が、図１０に示すように、イタドリの有害植生画像から抽出した輝度値の平均値のヒストグラムとカラムシの有害植生画像から抽出した輝度値の平均値のヒストグラムとをマッピングして、イタドリのＢ成分画像のヒストグラムとカラムシのＢ成分画像のヒストグラムとの交点Ｘが示す輝度値の平均値の値０．２３をしきい値として設定し、イタドリのＲ分画像のヒストグラムとカラムシのＲ成分画像のヒストグラムとの交点Ｙが示す輝度値の平均値の値０．３４をしきい値として設定し、イタドリのＧ成分画像のヒストグラムとカラムシのＧ成分画像のヒストグラムとの交点Ｘが示す輝度値の平均値の値０．５０をしきい値として設定する。そして、判定手段が、識別対象植生画像から抽出した輝度値の平均値の値としきい値とを比較し、これらの値の差が予め決められた範囲内であれば識別対象植生画像の有害植生がイタドリとカラムシとであると判定する。
最良の形態２によれば、識別対象植生画像内に複数の有害植生が混在している場合であってもその複数の有害植生を正確に判定できる。
【００３８】
最良の形態３
画像処理装置２が、同一種類の有害植生を異なる時刻に撮影した複数の有害植生画像の特徴量を記憶する記憶手段を備えた構成とすれば、識別対象植生画像を撮影した時刻の影響を受けることなく、正確な植生判定を行える。つまり、撮影した時刻によって識別対象植生画像から抽出される特徴量も変わるため、異なる時刻に撮影した複数の有害植生画像の特徴量を記憶しておくことで、同じ時刻に撮影された識別対象植生画像及び有害植生画像の特徴量を比較できるので、正確な植生判定を行える。
【００３９】
最良の形態４
画像処理装置２が、同一種類の有害植生を異なる季節毎に撮影した複数の有害植生画像の特徴量を記憶する記憶手段を備えた構成とすれば、識別対象植生画像を撮影した季節の影響を受けることなく、正確な植生判定を行える。つまり、撮影した季節によって識別対象植生画像から抽出される特徴量も変わるため、季節毎に撮影した複数の有害植生画像の特徴量を記憶しておくことで、同じ季節に撮影された識別対象植生画像及び有害植生画像の特徴量を比較できるので、正確な植生判定を行える。
【００４０】
最良の形態５
画像処理装置２が、同一種類の有害植生を異なる天候時毎に撮影した複数の有害植生画像の特徴量を記憶する記憶手段を備えた構成とすれば、識別対象植生画像を撮影した天候時の影響を受けることなく、正確な植生判定を行える。つまり、撮影した天候時によって識別対象植生画像から抽出される特徴量も変わるため、晴れ、曇り、雨などの異なる天候時に撮影した複数の有害植生画像の特徴量を記憶しておくことで、同じ天候時に撮影された識別対象植生画像及び有害植生画像の特徴量を比較できるので、正確な植生判定を行える。
【００４１】
最良の形態６
画像処理装置２が、同一の植生調査対象地域を異なる季節毎に撮影して得られた複数の識別対象植生画像の特徴量の変化と、異なる季節毎に撮影された有害植生画像の特徴量の変化とを比較する特徴量変化比較手段を備えた構成とすれば、同一の植生調査対象地域を異なる季節毎に撮影して得られた複数の識別対象植生画像の特徴量の変化と、異なる季節毎に撮影された有害植生画像の特徴量の変化とから、より正確な植生判定を行える。例えば、まず、異なる季節毎に有害植生としてのイタドリを撮影し、この異なる季節毎に撮影した有害植生画像の特徴量を記憶しておく。そして、同一の堤防法面のような植生調査対象地域を異なる季節毎に撮影して得られた複数の識別対象植生画像の特徴量を記憶する。そして、季節毎に撮影した有害植生画像の特徴量の変化と、同一の堤防法面のような植生調査対象地域を異なる季節毎に撮影して得られた複数の識別対象植生画像の特徴量の変化とを比較し、変化が似ていれば複数の識別対象植生画像の植生がイタドリであると推定できる。
【産業上の利用可能性】
【００４２】
有害植生を含む領域や植生調査対象地域である撮影対象を撮影対象から所定距離離れた地上より撮影した画像から有害植生画像や識別対象植生画像を作成してもよい。
画像処理装置２の出力部９が出力した識別対象植生画像及び有害植生画像の特徴量の値や特徴量ヒストグラムを人が比較することによって、識別対象植生画像の植生がカラムシやイタドリのような有害植生であるか否かを判定してもよい。この場合、比較判定手段２１は不要である。
有害植生画像の特徴量の値や特徴量ヒストグラムを印刷した紙などを別途作成しておき、画像処理装置２で識別対象植生画像の特徴量を抽出して識別対象植生画像の特徴量の値や特徴量ヒストグラムを出力すれば、人が有害植生画像の特徴量と識別対象植生画像の特徴量とを見比べることによって識別対象植生画像の有害植生を特定できるようになる。
【図面の簡単な説明】
【００４３】
【図１】植生識別システムの構成図（最良の形態１）。
【図２】近傍画像推定法の概念図（最良の形態１）。
【図３】近傍画像推定法の説明図（最良の形態１）。
【図４】近傍画像推定法の説明図（最良の形態１）。
【図５】有害植生画像から抽出した輝度値の平均値のヒストグラムを示す図（最良の形態１）。
【図６】有害植生画像から抽出したエントロピーのヒストグラムを示す図（最良の形態１）。
【図７】有害植生画像から抽出した滑らかさのヒストグラムを示す図（最良の形態１）。
【図８】有害植生画像から抽出したコントラストの平均値のヒストグラムを示す図（最良の形態１）。
【図９】有害植生画像から抽出した一様性のヒストグラムを示す図（最良の形態１）。本発明における植生の特徴量の左側しきい値と右側しきい値の概要を示す図。
【図１０】イタドリとカラムシの有害植生画像から抽出した輝度値の平均値のヒストグラムを示す図（最良の形態２）。
【符号の説明】
【００４４】
１  画像取得手段、２  画像処理装置、
４  飛行体、５  撮像手段、８  入力部、９  出力部、画像処理部１０、
１１  有害植生画像特徴量記憶手段、１２  識別対象植生画像特徴量記憶手段、１４  画像分解能調整手段、１５  有害植生画像作成手段、
１６  識別対象植生画像作成手段、１７  ＲＧＢ成分画像作成手段、
１８  前処理手段、１９  特徴量算出手段、２０  特徴量ヒストグラム作成手段、２１  比較判定手段。
【図１】
2008210165.tif 000010
【図２】
2008210165.tif 000011
【図３】
2008210165.tif 000012
【図４】
2008210165.tif 000013
【図５】
2008210165.tif 000014
【図６】
2008210165.tif 000015
【図７】
2008210165.tif 000016
【図８】
2008210165.tif 000017
【図９】
2008210165.tif 000018
【図１０】
2008210165.tif 000019